(57)【要約】【課題】紙コップの飲み口に口紅が付着しても、この口紅の色が目立たないものとすることによって、口紅を付けている女性等が、気兼ねなく、紙コップで飲料を行うことができるようにした口紅うつり対策紙コップを提供する。【解決手段】飲み口にカール部を設けた紙コップにおいて、少なくとも紙コップのカール部に口紅の付着をカムフラージュするための着色印刷又は模様印刷を施すと共に、紙コップの少なくとも内周面とカール部とを無着色ラミネート層で被覆してなるほか、紙コップの外周面の上端付近、紙コップの内周面の上端付近、紙コップの内周面全体に口紅の付着をカムフラージュするための着色印刷又は模様印刷を施す。【選択図】図３
0003152435.tif 000002
【実用新案登録請求の範囲】
【請求項１】
飲み口にカール部を設けた紙コップにおいて、少なくとも紙コップのカール部に口紅の付着をカムフラージュするための着色印刷又は模様印刷を施すと共に、紙コップの少なくとも内周面とカール部とを無着色ラミネート層で被覆してなることを特徴とする口紅うつり対策紙コップ。
【請求項２】
紙コップのカール部と紙コップの外周面の上端付近に口紅の付着をカムフラージュするための着色印刷又は模様印刷が施されていることを特徴とする請求項１記載の口紅うつり対策紙コップ。
【請求項３】
紙コップのカール部と紙コップの内周面の上端付近に口紅の付着をカムフラージュするための着色印刷又は模様印刷が施されていることを特徴とする請求項１又は２記載の口紅うつり対策紙コップ。
【請求項４】
紙コップのカール部と紙コップの外周面の上端付近と紙コップの内周面の上端付近に口紅の付着をカムフラージュするための着色印刷又は模様印刷が施されていることを特徴とする請求項１、２又は３記載の口紅うつり対策紙コップ。
【請求項５】
紙コップのカール部と紙コップの内周面全体に口紅の付着をカムフラージュするための着色印刷又は模様印刷が施されていることを特徴とする請求項１、２、３又は４記載の口紅うつり対策紙コップ。
【請求項６】
紙コップのカール部と紙コップの外周面の上端付近と紙コップの内周面全体に口紅の付着をカムフラージュするための着色印刷又は模様印刷が施されていることを特徴とする請求項１、２、３、４又は５記載の口紅うつり対策紙コップ。
【請求項７】
飲み口にカール部を設けた紙コップにおいて、少なくとも紙コップのカール部及び紙コップの内周面全体に口紅の付着をカムフラージュするための着色ラミネート層を施してなることを特徴とする口紅うつり対策紙コップ。
【請求項８】
紙コップのカール部と紙コップの内周面全体と紙コップの外周面の上端付近とに口紅の付着をカムフラージュするための着色ラミネート層を施してなることを特徴とする請求項７記載の口紅うつり対策紙コップ。
【考案の詳細な説明】
【技術分野】
【０００１】
本考案は、紙コップを用いて飲料する際、紙コップの飲み口に付着した口紅が外見的に目立たないようにした口紅うつり対策紙コップに関する。
【背景技術】
【０００２】
一般的に、紙コップを用いて飲料する際、紙コップの飲み口に口紅が付着すると、見た目にも不快感を与え、礼儀を失うことになる。このため、口紅を付けている女性等が紙コップを用いて飲料する際には、紙コップの上端に口紅がなるべく付着しないように配慮することが必要となる。そこで、例えば、紙コップの上端に唇があまり当らないように口を窄めて飲むと、紙コップの中の飲料が溢れ、衣服を汚してしまうことがあった。
【０００３】
このような不都合を解消するためになされた従来の紙コップ類としては、特許文献１に記載されたコップ飲み口用シールがある。このコップ飲み口用シールは、食器と唇が接触する箇所に、片面が吸水性素材で他方の面が接着剤或は吸盤のシールを貼り付け、このシールの色を適当に彩色して、口紅の色や唇の跡をカムフラージュするようにしたものである。
【０００４】
ところが、この文献に記載されているものは、コップの所定箇所にシールを一枚ずつ貼り付ける作業が必要となるため、大量の紙コップを必要とする場合には、シールの貼り付け作業に多大なる手間を要することになる。また、コップとは別にシールを用意する必要があり、使用後にはそのシールをコップから剥がして廃棄する手間も必要となる。
【先行技術文献】
【特許文献】
【０００５】
【特許文献１】実開平６−４５５７０号公報
【考案の概要】
【考案が解決しようとする課題】
【０００６】
本考案は、以上の事情に鑑みてなされたものであり、紙コップの飲み口に口紅が付着しても、この口紅の色が目立たないものとすることによって、口紅を付けている女性等が、気兼ねなく、紙コップで飲料を行うことができるようにした口紅うつり対策紙コップを提供することを目的とする。
【課題を解決するための手段】
【０００７】
上記の問題を解決するために、本考案の請求項１の口紅うつり対策紙コップは、飲み口にカール部を設けた紙コップにおいて、少なくとも紙コップのカール部に口紅の付着をカムフラージュするための着色印刷又は模様印刷を施すと共に、紙コップの少なくとも内周面とカール部とを無着色ラミネート層で被覆してなることを特徴とする。
【０００８】
また、本考案の請求項２の口紅うつり対策紙コップは、請求項１において、紙コップのカール部と紙コップの外周面の上端付近に口紅の付着をカムフラージュするための着色印刷又は模様印刷が施されていることを特徴とする。
【０００９】
また、本考案の請求項３の口紅うつり対策紙コップは、請求項１又は２において、紙コップのカール部と紙コップの内周面の上端付近に口紅の付着をカムフラージュするための着色印刷又は模様印刷が施されていることを特徴とする。
【００１０】
また、本考案の請求項４の口紅うつり対策紙コップは、請求項１、２又は３において、紙コップのカール部と紙コップの外周面の上端付近と紙コップの内周面の上端付近に口紅の付着をカムフラージュするための着色印刷又は模様印刷が施されていることを特徴とする。
【００１１】
また、本考案の請求項５の口紅うつり対策紙コップは、請求項１、２、３又は４において、紙コップのカール部と紙コップの内周面全体に口紅の付着をカムフラージュするための着色印刷又は模様印刷が施されていることを特徴とする。
【００１２】
さらに、本考案の請求項６の口紅うつり対策紙コップは、請求項１、２、３、４又は５において、紙コップのカール部と紙コップの外周面の上端付近と紙コップの内周面全体に口紅の付着をカムフラージュするための着色印刷又は模様印刷が施されていることを特徴とする。
【００１３】
本考案の請求項７の口紅うつり対策紙コップは、飲み口にカール部を設けた紙コップにおいて、少なくとも紙コップのカール部及び紙コップの内周面全体に口紅の付着をカムフラージュするための着色ラミネート層を施してなることを特徴とする。
【００１４】
さらに、本考案の請求項８の口紅うつり対策紙コップは、請求項７において、紙コップのカール部と紙コップの内周面全体と紙コップの外周面の上端付近とに口紅の付着をカムフラージュするための着色ラミネート層を施してなることを特徴とする。
【考案の効果】
【００１５】
本考案の口紅うつり対策紙コップは、紙コップの飲み口において、少なくとも紙コップのカール部に口紅の付着をカムフラージュするための着色印刷又は模様印刷を施したものである。このため、口紅を付けた女性等がこの紙コップを使用して飲料する場合、唇が最も当たりやすいカール部に口紅が付着しても、その口紅の付着した跡を外見的に目立たないものとすることができる。
【００１６】
また、本考案の口紅うつり対策紙コップにおいて、上記のように少なくとも紙コップのカール部に口紅の付着をカムフラージュするための着色印刷又は模様印刷を施したことによって、この印刷の配色又は模様が紙コップの意匠性を高めることとなる。従って、口紅を付けている者だけでなく、口紅を付けていない者がこの紙コップを使用することによって、意匠性を楽しむことも可能となる。
【００１７】
よって、本考案の口紅うつり対策紙コップによれば、使用者が、口紅を付けていても、付けていなくても、紙コップの意匠性を楽しみながら、口紅の付着を気にすることなく、また口紅が飲み口に付着しても、他者に礼を失うことなく、この紙コップで飲料することが可能となる。
【００１８】
さらに、本考案の口紅うつり対策紙コップは、少なくとも紙コップのカール部に口紅の付着をカムフラージュするための着色印刷又は模様印刷を施した紙コップを基本構成として、さらに様々なバリエーションを構成することが可能である。
【００１９】
即ち、紙コップのカール部と紙コップの外周面の上端付近に、口紅の付着をカムフラージュするための着色印刷又は模様印刷を施すことによって、使用者は紙コップの外周面の上端付近に口紅が付着しても、この口紅の付着の跡を目立たなくすることができる。
【００２０】
また、紙コップのカール部と紙コップの内周面の上端付近に、口紅の付着をカムフラージュするための着色印刷又は模様印刷を施すことによって、使用者は紙コップの内周面の上端付近に口紅が付着しても、この口紅の付着の跡を目立たなくすることができる。
【００２１】
さらに、紙コップのカール部と紙コップの外周面の上端付近と紙コップの内周面の上端付近に、口紅の付着をカムフラージュするための着色印刷又は模様印刷を施すことによって、使用者はカール部と紙コップの外周面の上端付近と紙コップの内周面の上端付近に口紅が付着しても、この口紅の付着の跡を目立たなくすることができる。
【００２２】
また、本考案においては、他の構成として、紙コップの少なくとも紙コップのカール部及び紙コップの内周面全体に口紅の付着をカムフラージュするための着色ラミネート層を施すことによって、使用者は紙コップのカール部及び紙コップの内周面に口紅が付着しても、この口紅の付着の跡を目立たなくすることができる。
【００２３】
さらに、紙コップのカール部と紙コップの外周面の上端付近と紙コップの内周面全体に口紅の付着をカムフラージュするための着色ラミネート層を施すことによって、使用者は紙コップのカール部と紙コップの外周面の上端付近と紙コップの内周面に口紅が付着しても、この口紅の付着の跡を目立たなくすることができる。
【図面の簡単な説明】
【００２４】
【図１】本考案の実施例１に関する図面であり、(ａ)は紙コップの上端にカール部を形成する前の部分断面図、（ｂ）はカール部を形成した後の部分断面図である。
【図２】本考案の実施例１に関する図面であり、図１とは別の断面構造を有する紙コップであって、(ａ)は紙コップの上端にカール部を形成する前の部分断面図、（ｂ）はカール部を形成した後の部分断面図である。
【図３】本考案の実施例１に関し、(ａ-１)は紙コップのカール部に着色印刷を施してなる紙コップの一部破断斜視図であり、(ａ-２)はその紙コップの全体斜視図である。また、(ｂ-１)は紙コップのカール部に着色印刷を施すと共に、紙コップの外周面に着色印刷を施してなる紙コップの一部破断斜視図であり、(ｂ-２)はその紙コップの全体斜視図である。
【図４】本考案の実施例１に関し、(ａ-１)は紙コップのカール部と外周面の上端付近に着色印刷を施してなる紙コップの一部破断斜視図であり、(ａ-２)はその紙コップの全体斜視図である。また、(ｂ-１)は紙コップのカール部と外周面の上端付近に着色印刷を施すと共に、紙コップの外周面に着色印刷を施してなる紙コップの一部破断斜視図であり、(ｂ-２)はその紙コップの全体斜視図である。
【図５】本考案の実施例１に関し、(ａ-１)は紙コップのカール部と内周面の上端付近に着色印刷を施してなる紙コップの一部破断斜視図であり、(ａ-２)はその紙コップの全体斜視図である。また、(ｂ-１)は紙コップのカール部と内周面の上端付近に着色印刷を施すと共に、紙コップの外周面に着色印刷を施してなる紙コップの一部破断斜視図であり、(ｂ-２)はその紙コップの全体斜視図である。
【図６】本考案の実施例１に関し、(ａ-１)は紙コップのカール部と内周面と外周面の夫々の上端付近に着色印刷を施してなる紙コップの一部破断斜視図であり、(ａ-２)はその紙コップの全体斜視図である。また、(ｂ-１)は紙コップのカール部と内周面と外周面の夫々の上端付近に着色印刷を施すと共に、紙コップの外周面に着色印刷を施してなる一部破断斜視図であり、(ｂ-２)はその紙コップの全体斜視図である。
【図７】本考案の実施例１に関し、(ａ-１)は紙コップのカール部と内周面全体に着色印刷を施してなる一部破断斜視図であり、(ａ-２)はその全体斜視図である。また、(ｂ-１)は紙コップのカール部と内周面全体に着色印刷を施すと共に、紙コップの外周面に着色印刷を施してなる一部破断斜視図であり、(ｂ-２)はその紙コップの全体斜視図である。
【図８】本考案の実施例１に関し、(ａ-１)は紙コップのカール部と外周面の上端付近と内周面全体に着色印刷を施してなる紙コップの一部破断斜視図であり、(ａ-２)はその紙コップの全体斜視図である。また、(ｂ-１)は紙コップのカール部と外周面の上端付近と内周面全体に着色印刷を施すと共に、紙コップの外周面に着色印刷を施してなる紙コップの一部破断斜視図であり、(ｂ-２)はその紙コップの全体斜視図である。
【図９】本考案の実施例２に関し、(ａ)は紙コップの上端にカール部を形成する前の断面図であり、（ｂ）はカール部を形成した後の断面図である。
【図１０】本考案の実施例２に関し、図９とは別の断面構造を有する紙コップであって、(ａ)は紙コップの上端にカール部を形成する前の断面図であり、（ｂ）はカール部を形成した後の断面図である。
【図１１】本考案の実施例２に関し、(ａ-１)は紙コップのカール部に模様印刷を施してなる紙コップの一部破断斜視図であり、(ａ-２)はその紙コップの全体斜視図である。また、(ｂ-１)は紙コップのカール部に模様印刷を施すと共に、紙コップの外周面に模様印刷を施してなる紙コップの一部破断斜視図であり、(ｂ-２)はその紙コップの全体斜視図である。
【図１２】本考案の実施例２に関し、(ａ-１)は紙コップのカール部と外周面の上端付近に模様印刷を施してなる紙コップの一部破断斜視図であり、(ａ-２)はその紙コップの全体斜視図である。また、(ｂ-１)は紙コップのカール部と外周面の上端付近に模様印刷を施すと共に、紙コップの外周面に着色印刷を施してなる一部破断斜視図であり、(ｂ-２)はその紙コップの全体斜視図である。
【図１３】本考案の実施例２に関し、(ａ-１)は紙コップのカール部と内周面の上端付近に模様印刷を施してなる紙コップの一部破断斜視図であり、(ａ-２)はその紙コップの全体斜視図である。また、(ｂ-１)は紙コップのカール部と内周面の上端付近に模様印刷を施すと共に、紙コップの外周面に着色印刷を施してなる一部破断斜視図であり、(ｂ-２)はその紙コップの全体斜視図である。
【図１４】本考案の実施例２に関し、(ａ-１)は紙コップのカール部と内周面と外周面の夫々の上端付近に模様印刷を施してなる紙コップの一部破断斜視図であり、(ａ-２)はその紙コップの全体斜視図である。また、(ｂ-１)は紙コップのカール部と内周面と外周面の夫々の上端付近に模様印刷を施すと共に、紙コップの外周面に着色印刷を施してなる一部破断斜視図であり、(ｂ-２)はその紙コップの全体斜視図である。
【図１５】本考案の実施例２に関し、(ａ-１)は紙コップのカール部と内周面全体に模様印刷を施してなる紙コップの一部破断斜視図であり、(ａ-２)はその紙コップの全体斜視図である。また、(ｂ-１)は紙コップのカール部と内周面全体に模様印刷を施すと共に、紙コップの外周面に着色印刷を施してなる紙コップの一部破断斜視図であり、(ｂ-２)はその紙コップの全体斜視図である。
【図１６】本考案の実施例２に関し、(ａ-１)は紙コップのカール部と外周面の上端付近と内周面全体に模様印刷を施してなる紙コップの一部破断斜視図であり、(ａ-２)はその紙コップの全体斜視図である。また、(ｂ-１)は紙コップのカール部と外周面の上端付近と内周面全体に模様印刷を施すと共に、紙コップの外周面に着色印刷を施してなる紙コップの一部破断斜視図であり、(ｂ-２)はその紙コップの全体斜視図である。
【図１７】本考案の実施例３に関し、(ａ)は紙コップの上端にカール部を形成する前の断面図であり、（ｂ）はカール部を形成した後の断面図である。
【図１８】本考案の実施例３に関する図面であり、図１７とは別の断面構造を有する紙コップであって、(ａ)は紙コップの上端にカール部を形成する前の断面図であり、（ｂ）はカール部を形成した後の断面図である。
【図１９】本考案の実施例３に関し、(ａ-１)は紙コップのカール部と内周面全体に着色ラミネートを施してなる紙コップの一部破断斜視図であり、(ａ-２)はその紙コップの全体斜視図である。また、(ｂ-１)は紙コップのカール部と内周面全体に着色ラミネートを施すと共に、紙コップの外周面に着色印刷を施してなる紙コップの一部破断斜視図であり、(ｂ-２)はその紙コップの全体斜視図である。
【図２０】本考案の実施例３に関し、(ａ-１)は紙コップのカール部と外周面の上端付近と内周面全体に着色ラミネートを施してなる紙コップの一部破断斜視図であり、(ａ-２)はその紙コップの全体斜視図である。また、(ｂ-１)は紙コップのカール部と外周面の上端付近と内周面全体に着色ラミネートを施すと共に、紙コップの外周面に着色印刷を施してなる紙コップの一部破断斜視図であり、(ｂ-２)はその紙コップの全体斜視図である。
【考案を実施するための形態】
【００２５】
以下、本考案の実施例１〜実施例３について図面を参照しながら説明する。
【実施例１】
【００２６】
本実施例は、図１〜図８に示すように、紙コップ１の少なくともカール部２に口紅の付着をカムフラージュするための着色印刷３を施す構成を有し、その他の部位として、紙コップ１の外周面４の上端付近、紙コップ１の内周面５の上端付近、または紙コップ１の内周面５全体等に上記と同様の着色印刷３を施してなる構成を有するものである。
【００２７】
まず、実施例１における紙コップ１のカール部２を形成する方法について説明する。図１(ａ)に示すように、コップ原紙６の上端にカール部２を形成する前の断面状況は直状であり、このコップ原紙６の内周面５の上端付近に着色印刷３を施す。さらに、この着色印刷３を被覆する上層及び紙コップ１の内周面５全体には無着色ラミネート層７を被覆する。
【００２８】
次いで、図１（ｂ）に示すように、上記の断面構造を有するコップ原紙６の上端部を外側にカール形成することによって、紙コップ１の上端部の飲み口にカール部２が形成されることとなる。このカール部２における着色印刷３と無着色ラミネート層７はカール部２の内側に巻き込まれた状態となり、カール部２の最外層は無着色ラミネート層７で保護されているため、その内層の着色印刷３を外方に透視した状態としている。
【００２９】
さらに、図２（ａ）に示すものは、図１（ａ）と同様に、直状のコップ原紙６の内周面５の上端付近に着色印刷３が施され、この着色印刷３を被覆する上層及び内周面５全体には無着色ラミネート層７が被覆されている。さらに、この図２（ａ）においては、コップ原紙６の外周面４に所望のカラーインクによる外面印刷８を施す。次いで、図２（ｂ）に示すように、図２（ａ）のコップ原紙６の上端部を外側にカール形成することによって、図１（ｂ）の場合と同様に、紙コップ１の飲み口に形成されたカール部２の最外層は無着色ラミネート層７で保護されると共に、内層の着色印刷３を外方に透視した状態している。
【００３０】
上記の構成において、着色印刷３の色は、口紅の付着をカムフラージュするための彩色となるため、口紅の色に近似したインキ色を採用するのが好ましい。ただし、口紅の色は個人差があるため、特定が困難である。従って、種々の色の口紅が付着した場合であっても、その跡がなるべく目立たないようなインキ色を選択することが望ましい。
【００３１】
また、無着色ラミネート層７は、紙コップ１に収容された内溶液がコップ原紙６に浸透しないように防水の役割を果す必要がある。併せて、紙コップ１の衛生面に関する法令上の要求からも、着色料が無添加である透明のラミネート樹脂層を形成する必要がある。この無着色ラミネート層７の例としては、ポリエチレン、ポリプロピレン、ポリエチレンテレフタレート樹脂等の熱可塑性樹脂を採用することが可能である。
【００３２】
以下に、本実施例の様々のバリエーションについて説明する。図３（ａ-１）、(ａ-２)に示すものは、紙コップ１のカール部２のみに着色印刷３を施すと共に、このカール部２と紙コップ１の内周面５とを無着色ラミネート層７で被覆してなるものである。このような構成により、唇が最も当たりやすいカール部２に口紅が付着しても、その口紅の付着した跡を外見的に目立たないものとすることができる。
【００３３】
また、図３（ｂ-１）、（ｂ-２）に示すものは、上記の図３（ａ-１）、(ａ-２)に示す着色印刷３と無着色ラミネート層７を有する他に、紙コップ１の外周面４に所望色の彩色を有する外面印刷８が施され、これによって外観的な彩色の意匠性を向上するようにしたものである。
【００３４】
図４（ａ-１）、(ａ-２)に示すものは、紙コップ１のカール部２と紙コップ１の外周面４の上端付近に同色の着色印刷３を施すと共に、紙コップ１の内周面５とカール部２とを無着色ラミネート層７で被覆してなるものである。この場合、紙コップ１の外周面４の上端付近に施した着色印刷３の上層にも無着色ラミネート層７を被覆するのが好ましい。このような構成により、使用者はカール部２だけではなく、紙コップ１の外周面４の上端付近に口紅が付着しても、この口紅の付着の跡を目立たなくすることができる。
【００３５】
また、図４（ｂ-１）、（ｂ-２）に示すものは、上記の図４（ａ-１）、(ａ-２)に示す着色印刷３と無着色ラミネート層７を有する他に、紙コップ１の着色印刷３以外の外周面４に所望の彩色を有する外面印刷８が施され、これによって外観的な彩色の意匠性を向上するようにしたものである。
【００３６】
図５（ａ-１）、(ａ-２)に示すものは、紙コップ１のカール部２と紙コップ１の内周面５の上端付近に同色の着色印刷３を施すと共に、紙コップ１のカール部２と内周面５全体を無着色ラミネート層７で被覆してなるものである。このような構成により、使用者はカール部２だけではなく、紙コップ１の内周面５の上端付近に口紅が付着しても、この口紅の付着の跡を目立たなくすることができる。
【００３７】
また、図５（ｂ-１）、（ｂ-２）に示すものは、上記の図５（ａ-１）、(ａ-２)に示す着色印刷３と無着色ラミネート層７を有する他に、紙コップ１の外周面４に所望の彩色を有する外面印刷８が施され、これによって外観的な彩色の意匠性を向上するようにしたものである。
【００３８】
図６（ａ-１）、(ａ-２)に示すものは、紙コップ１のカール部２と紙コップ１の外周面４の上端付近と紙コップ１の内周面５の上端付近とに同色の着色印刷３を施すと共に、紙コップ１のカール部２と内周面５全体を無着色ラミネート層７で被覆してなるものである。この場合、紙コップ１の外周面４の上端付近に施した着色印刷３の上層にも無着色ラミネート層７を被覆するのが好ましい。このような構成により、使用者はカール部２だけではなく、紙コップ１の外周面４の上端付近と内周面５の上端付近とに口紅が付着しても、この口紅の付着の跡を目立たなくすることができる。
【００３９】
また、図６（ｂ-１）、（ｂ-２）に示すものは、上記の図６（ａ-１）、(ａ-２)に示す着色印刷３と無着色ラミネート層７を有する他に、紙コップ１の着色印刷３以外の外周面４に所望の彩色を有する外面印刷８が施され、これによって外観的な彩色の意匠性を向上するようにしたものである。
【００４０】
図７（ａ-１）、(ａ-２)に示すものは、紙コップ１のカール部２と紙コップ１の内周面５全体に同色の着色印刷３を施すと共に、紙コップ１のカール部２と内周面５全体を無着色ラミネート層７で被覆してなるものである。このような構成により、使用者はカール部２だけではなく、紙コップ１の内周面５に口紅が付着しても、この口紅の付着の跡を目立たなくすることができる。また、紙コップ１の内周面５全体に着色印刷３が施されたことにより、紙コップ１の内部を見た際の意匠性を向上することが可能となる。
【００４１】
また、図７（ｂ-１）、（ｂ-２）に示すものは、上記の図７（ａ-１）、(ａ-２)に示す着色印刷３と無着色ラミネート層７を有する他に、紙コップ１の外周面４に所望の彩色を有する外面印刷８が施され、これによって外観的な彩色の意匠性を向上するようにしたものである。
【００４２】
図８（ａ-１）、(ａ-２)に示すものは、紙コップ１のカール部２と紙コップ１の外周面４の上端付近と紙コップ１の内周面５全体に同色の着色印刷３を施すと共に、紙コップ１の内周面５とカール部２とを無着色ラミネート層７で被覆してなるものである。この場合、紙コップ１の外周面４の上端付近に施した着色印刷３の上層にも無着色ラミネート層７を被覆するのが好ましい。このような構成により、使用者はカール部２だけではなく、紙コップ１の外周面４の上端付近と紙コップ１の内周面５に口紅が付着しても、この口紅の付着の跡を目立たなくすることができる。また、紙コップ１の内周面５全体に着色印刷３が施されたことにより、紙コップ１の内部を見た際の意匠性を向上することが可能となる。
【００４３】
また、図８（ｂ-１）、（ｂ-２）に示すものは、上記の図８（ａ-１）、(ａ-２)に示す着色印刷３と無着色ラミネート層７を有する他に、紙コップ１の着色印刷３以外の外周面４に所望の彩色を有する外面印刷８が施され、これによって外観的な彩色の意匠性を向上するようにしたものである。
【実施例２】
【００４４】
本実施例は、図９〜図１６に示すように、紙コップ１の少なくともカール部２に口紅の付着をカムフラージュするための模様印刷９を施す構成を有し、その他の部位として、紙コップ１の外周面４の上端付近、紙コップ１の内周面５の上端付近、または紙コップ１の内周面５全体等に上記と同様の模様印刷９を施してなる構成を有する。また、本実施例においては、実施例１と同様に、紙コップ１の少なくとも内周面５とカール部２とを無着色ラミネート層７で被覆してなる構成を有する。
【００４５】
従って、この実施例２の構成は、実施例１で示した紙コップ１における着色印刷３をそのまま模様印刷９に変えたものであり、この模様印刷９を口紅の付着をカムフラージュするための彩色とするため、口紅の色に近似したインキ層によって所望の模様を形成する。この模様印刷の場合もまた、種々の色の口紅が付着した場合、その跡がなるべく目立たないようなインキ色を選択することが望ましい。
【００４６】
実施例２におけるその他の構成は、実施例１と同様であり、実施例２の様々のバリエーションについて夫々の構成は、対応する実施例１の着色印刷３を模様印刷９に変えただけであり、他の構成及び作用効果は同様である。
【００４７】
即ち、図１１（ａ-１）、(ａ-２)、（ｂ-１）、(ｂ-２)の夫々は、図３（ａ-１）、(ａ-２)、（ｂ-１）、(ｂ-２)の夫々に対応しており、図３（ａ-１）、(ａ-２)、（ｂ-１）、(ｂ-２)の着色印刷３を模様印刷９に変えた構成となる。
【００４８】
また、図１２（ａ-１）、(ａ-２)、（ｂ-１）、(ｂ-２)の夫々は、図４（ａ-１）、(ａ-２)、（ｂ-１）、(ｂ-２)の夫々に対応しており、図４（ａ-１）、(ａ-２)、（ｂ-１）、(ｂ-２)の着色印刷３を模様印刷９に変えた構成となる。
【００４９】
また、図１３（ａ-１）、(ａ-２)、（ｂ-１）、(ｂ-２)の夫々は、図５（ａ-１）、(ａ-２)、（ｂ-１）、(ｂ-２)の夫々に対応しており、図５（ａ-１）、(ａ-２)、（ｂ-１）、(ｂ-２)の着色印刷３を模様印刷９に変えた構成となる。
【００５０】
また、図１４（ａ-１）、(ａ-２)、（ｂ-１）、(ｂ-２)の夫々は、図６（ａ-１）、(ａ-２)、（ｂ-１）、(ｂ-２)の夫々に対応しており、図６（ａ-１）、(ａ-２)、（ｂ-１）、(ｂ-２)の着色印刷３を模様印刷９に変えた構成となる。
【００５１】
また、図１５（ａ-１）、(ａ-２)、（ｂ-１）、(ｂ-２)の夫々は、図７（ａ-１）、(ａ-２)、（ｂ-１）、(ｂ-２)の夫々に対応しており、図７（ａ-１）、(ａ-２)、（ｂ-１）、(ｂ-２)の着色印刷３を模様印刷９に変えた構成となる。
【００５２】
また、図１６（ａ-１）、(ａ-２)、（ｂ-１）、(ｂ-２)の夫々は、図８（ａ-１）、(ａ-２)、（ｂ-１）、(ｂ-２)の夫々に対応しており、図８（ａ-１）、(ａ-２)、（ｂ-１）、(ｂ-２)の着色印刷３を模様印刷９に変えた構成となる。
【００５３】
上記の通り、この実施例２の構成は、実施例１における構成の着色印刷３をそのまま模様印刷９に変えた構成となる。その模様印刷９における絵柄は、図１２〜図１６では縦縞としてあるが、これに限定されず、水玉模様、幾何学模様等のほか、具体的な物や動物やキャラクター等による絵柄を採用するようにしてもよい。
【実施例３】
【００５４】
本実施例は、図１７〜図２０に示すように、少なくとも紙コップ１のカール部２及び紙コップ１の内周面５全体に口紅の付着をカムフラージュするための着色ラミネート層１０を施してなるものである。
【００５５】
このような実施例３の構成を有する紙コップ１のカール部２を形成する方法について説明すると、図１７(ａ)に示すように、カール部２を形成する前の直状をなすコップ原紙６の内周面５全体に口紅の付着をカムフラージュする着色ラミネート層１０を施す。次いで、図１７（ｂ）に示すように、このコップ原紙６の上端部を外側にカール形成することによって、紙コップ１の飲み口にカール部２が形成される。このような構成により、紙コップ１の飲み口に形成されたカール部２と紙コップ１の内周面５全体に口紅の付着をカムフラージュする着色が施された外観となる。また、紙コップ１のカール部２と内周面５全体を着色ラミネート層１０で被覆することにより、紙コップ１に収容された内溶液がコップ原紙６に浸透しないよう防水の役割を果すこととなる。その着色ラミネート層１０の例としては、ポリエチレン、ポリプロピレン、ポリエチレンテレフタレート樹脂等の熱可塑性樹脂に着色を施したものを採用することが可能である。
【００５６】
さらに、図１８（ａ）、（ｂ）に示すものは、図１（ａ）、（ｂ）と同様に紙コップ１のカール部２及び紙コップ１の内周面５全体に口紅の付着をカムフラージュする着色ラミネート層１０を施したうえ、コップ原紙６の外周面４に所望カラーのインク層を形成することによって外面印刷８が施されたものである。このような構成においても、図１７（ｂ）と同様に、コップ原紙６の上端部を外側にカール形成し、これによって紙コップ１の飲み口に形成されたカール部２は彩色を有する着色ラミネート層１０で保護されたものとなる。
【００５７】
上記の構成においてもまた、着色ラミネート層１０の色は、口紅の付着をカムフラージュするための着色とするため、口紅の色に近似した色を選択するのが好ましい。
【００５８】
以下に、この実施例３のバリエーションについて説明する。図１９（ａ-１）、(ａ-２)に示すものは、紙コップ１のカール部２と紙コップ１の内周面５全体に同色の着色ラミネート層１０を被覆してなるものである。このような構成により、唇が最も当たりやすいカール部２及び内周面５に口紅が付着しても、その口紅の付着した跡を外見的に目立たないものとすることができる。また、紙コップ１の内周面５全体に着色ラミネート層１０による彩色が施されたことにより、紙コップ１の内部を見た際の意匠性を向上することが可能となる。
【００５９】
また、図１９（ｂ-１）、（ｂ-２）に示すものは、上記の図１９（ａ-１）、(ａ-２)に示す着色ラミネート層１０を有する他に、紙コップ１の外周面４に所望の彩色を有する外面印刷８が施され、これによって外観的な彩色の意匠性を向上するようにしたものである。
【００６０】
さらに、図２０（ａ-１）、(ａ-２)に示すものは、紙コップ１のカール部２と紙コップ１の内周面５全体と外周面４の上端付近を同色の着色ラミネート層１０で被覆してなるものである。このような構成により、使用者はカール部２だけではなく、紙コップ１の外周面４の上端付近及び内周面５に口紅が付着しても、この口紅の付着の跡を目立たなくすることができる。また、上記と同様に、紙コップ１の内部を見た際の意匠性を向上することも可能となる。
【００６１】
また、図２０（ｂ-１）、（ｂ-２）に示すものは、上記の図２０（ａ-１）、(ａ-２)に示す着色印刷３と無着色ラミネート層７を有する他に、紙コップ１の着色ラミネート層１０以外の外周面４に所望の彩色を有する外面印刷８が施され、これによって外観的な彩色の意匠性を向上するようにしたものである。
【産業上の利用可能性】
【００６２】
本考案の口紅うつり対策紙コップは、紙コップの飲み口に口紅が付着しても、この口紅の色が目立たないものとすることによって、口紅を付けている女性等が、気兼ねなく、紙コップで飲料を行うことができるようにした口紅うつり対策紙コップとして利用可能である。
【符号の説明】
【００６３】
１  紙コップ
２  カール部
３  着色印刷
４  外周面
５  内周面
６  コップ原紙
７  無着色ラミネート層
８  外面印刷
９  模様印刷
１０  着色ラミネート層
【図１】
0003152435.tif 000003
【図２】
0003152435.tif 000004
【図３】
0003152435.tif 000005
【図４】
0003152435.tif 000006
【図５】
0003152435.tif 000007
【図６】
0003152435.tif 000008
【図７】
0003152435.tif 000009
【図８】
0003152435.tif 000010
【図９】
0003152435.tif 000011
【図１０】
0003152435.tif 000012
【図１１】
0003152435.tif 000013
【図１２】
0003152435.tif 000014
【図１３】
0003152435.tif 000015
【図１４】
0003152435.tif 000016
【図１５】
0003152435.tif 000017
【図１６】
0003152435.tif 000018
【図１７】
0003152435.tif 000019
【図１８】
0003152435.tif 000020
【図１９】
0003152435.tif 000021
【図２０】
0003152435.tif 000022